(57)【要約】【課題】使用環境に作用されないで、かつ使用後の灰などの償却材の処理が簡便な占いに適したろうそくを提供する。【解決手段】占い用ろうそく１は、ろうそく本体２が台６の上に置かれている。台６の周辺には立設した壁７が形成されている。ろうそく本体２は、その上部に燃焼芯３が突出し、該燃焼芯３はろうそく本低２の略中心を通って、占い表示手段４の下方まで達している。前記ろうそく本体２の内部には、ろうそく本体２が燃焼する時の温度で変色せずかつ形状も変化しない占い表示手段４が埋入されている。該表示手段４は、埋入されている位置において、ろうそく本体２よりも小さい形状である。前記ろうそく本体２には、燃焼目安を示す目印５が、その外周に沿って所定数設けられている。ろうそく本体２が目印５６より下方位置まで燃焼した時に占い表示手段４の色などを視認しその結果により、占いを行なう。【選択図】　図１
2004073363.tif 000002
【特許請求の範囲】
【請求項１】
燃焼芯を内部に有し、内部が視認できないろうそく本体の内部に、ろうそく本体が燃焼される温度で変色せず、かつ形状も変化しない、所定の形状を有し、前記ろうそく本体より小さい形状の占い表示手段が埋入されていることを特徴とする占い用ろうそく。
【請求項２】
前記ろうそくは、前記燃焼芯が占い表示手段が取り出せる位置まで設けられていることを特徴とする請求項１に記載の占い用ろうそく。
【請求項３】
前記占い表示手段は、ろうそくの低部から前記占い表示手段が視認できない位置に埋入されていることを特徴とする請求項１又は２に記載の占い用ろうそく。
【請求項４】
前記ろうそくは、ろうそく本体に、燃焼目安を示す目印が所定数設けられていて、前記占い表示手段は前記最後の目印より下方位置に埋入されていることを特徴とする請求項１から３の何れかに記載の占い用ろうそく。
【請求項５】
前記ろうそくは、隣り合う目印間のろうそく本体の色が異なることを特徴とする請求項４に記載の占い用ろうそく。
【請求項６】
前記占い表示手段は、その周囲に占い結果が印されていることを特徴とする請求項１から５の何れかに記載の占い用ろうそく。
【請求項７】
前記占い表示手段は、その内部に占い結果を印した提示手段が備えられていることを特徴とする請求項１から５の何れかに記載の占い用ろうそく。
【請求項８】
前記占い表示手段は、水晶玉であることを特徴とする請求項１から５の何れかに記載の占い用ろうそく。
【請求項９】
前記占い表示手段は、神仏具であることを特徴とする請求項１から５の何れかに記載の占い用ろうそく。
【発明の詳細な説明】
【０００１】
【発明の属する技術分野】
本発明は、ろうそくに関し、特に、燃焼すると占いの内容が現れる、占い用ろうそくに関する。
【０００２】
【従来の技術】
従来、占いを行なう時に用いられる道具として、トランプ、水晶玉、筮竹など、各種の道具が用いられている。この中には、占い以外に同時に香りを楽しむ手段を備えた、占い用香がある（例えば特許文献１参照。）。この香は、焚いた時に出る煙を利用するものであり、煙の香りばかりでなく香自体を占い（たとえば、運勢占い）に利用する。前記占い用香は、所定の形状と所定の色を有し、焚くと前記所定の色が灰色に変化する香本体と、前記香本体の内部に埋入されている、着色したガラス玉などの占い表示手段を備えている。そして、当該香を焚いた後、香本体を壊して中の占い表示手段をとり出すことにより占いを楽しむものである。
【０００３】
［特許文献１］
特開平８−６７６１４号公報（第２図）
【０００４】
【発明が解決しようとする課題】
しかし、前記占い用香では以下のような問題点があった。即ち、当該香を焚いた後、香本体を壊して中の占い表示手段をとり出すため、該表示手段を取り出す再に香の灰が手につくことである。又、当該灰を片付けて処分する必要がある。更に、占いを行なうために、香を楽しむことが逆に作用して、それを使用する周辺に当該香の臭いを漂わせることになる。そのために、使用環境はその香を楽しむ個人的な環境に制限されがちになる。
【０００５】
本発明は、かかる問題を解決して使用環境に作用されないで、かつ使用後の灰などの償却材の処理が簡便な占いに適した占い用ろうそくを提供することを目的としてなされたものである。
【０００６】
【課題を解決するための手段】
本発明は上記目的を達成するために請求項１記載の占い用ろうそくは、燃焼芯を内部に有し、内部が視認できないろうそく本体の内部に、ろうそく本体が燃焼される温度で変色せず、かつ形状も変化しない、所定の形状を有し、前記ろうそく本体より小さい形状の占い表示手段が埋入されていることを特徴とする。
【０００７】
請求項２に記載の占い用ろうそくは、請求項１に記載の占い用ろうそくにおいて、前記ろうそくは、前記燃焼芯が占い表示手段が取り出せる位置まで設けられていることを特徴とする。
【０００８】
請求項３に記載の占い用ろうそくは、請求項１又は２に記載の占い用ろうそくにおいて、前記占い表示手段は、ろうそくの低部から前記占い表示手段が視認できない位置に埋入されていることを特徴とする。
【０００９】
請求項４に記載の占い用ろうそくは、請求項１から３の何れかに記載の占い用ろうそくにおいて、前記ろうそくは、ろうそく本体に、燃焼目安を示す目印が所定数設けられていて、前記占い表示手段は前記最後の目印より下方位置に埋入されていることを特徴とする。
【００１０】
請求項５に記載のろうそくは、請求項４に記載のろうそくにおいて、前記ろうそくは、隣り合う目印間のろうそく本体の色が異なることを特徴とする。
【００１１】
請求項６に記載の占い用ろうそくは、請求項１から５の何れかに記載の占い用ろうそくにおいて、前記占い表示手段は、その周囲に占い結果が印されていることを特徴とする。
【００１２】
請求項７に記載の占い用ろうそくは、請求項１から５の何れかに記載の占い用ろうそくにおいて、前記占い表示手段は、その内部に占い結果を印した提示手段が備えられていることを特徴とする。
【００１３】
請求項８に記載の占い用ろうそくは、請求項１から５の何れかに記載の占い用ろうそくにおいて、前記占い表示手段は、水晶玉であることを特徴とする。
【００１４】
請求項９に記載の占い用ろうそくは、請求項１から５の何れかに記載の占い用ろうそくにおいて、前記占い表示手段は、神仏具であることを特徴とする。
【００１５】
【発明の実施の形態】
以下、図１により本発明の実施形態について説明する。図１は略円錐形のろうそくであり、その高さは、例えば１５ｃｍ、底部の直径は５ｃｍである。斯かる形状は、これ以外であってもよく、例えば、丸型、卵型などであってもよい。また、前記ろうそくの形状は、例えば容器に入っていてもよく、かかる場合には燃焼目安を示す後述する目印はなくともよい。占い用ろうそく１は、ろうそく本体２が台６の上に置かれている。台６の周辺には、燃焼時に溶けた蝋が流れ出さないように立設した壁７が形成されている。ろうそく本体２は、その上部に燃焼芯３が突出していて、該燃焼芯３はろうそく本体２の略中心を通って、占い表示手段４の下方まで達している。ろうそく本体２が占い表示手段４の下方まで燃焼することにより占い表示手段４を容易に取り出せる。
【００１６】
前記ろうそく本体２は、内部が視認できない材料で形成され、ろうそく本体２の内部にはろうそく本体２が燃焼する時の温度で変色せずかつ形状も変化しない、例えば円形の形状を有するガラス玉などの占い表示手段４が埋入されている。該占い表示手段４は、埋入されている位置において、ろうそく本体２よりも小さい形状であって、ろうそく本体２が所定の位置まで燃焼した時にその形状、色を視認できる。又、前記占い表示手段４は、ろうそくの低部から前記占い表示手段４が視認できない位置に埋入されている。前記占い表示手段４は、例えば色付きのガラス玉であって、その色が、例えば赤、水色、透明、黄色などにそれぞれ着色されている。前記占い表示手段４は、ろうそく本体２の中に一個、あるいは複数個、埋入してもよく、あるいは、透明の水晶玉であってもよい。あるいは又、金属などで形成された大仏、観音像、その他の神仏具であってもよい。
【００１７】
前記ろうそく本体２には、燃焼目安を示す目印５（５０、５１、５２、５３、５４、５５、５６）が、例えばその外周に沿って所定数（例えば７箇所）設けられている。前記占い表示手段４は、前記最後の目印５６より下方位置に埋入されていて、ろうそく本体２が目印５６より下方位置まで燃焼した時に占い表示手段４の色などを視認できる。前記目印の間隔は、燃焼時間が同一となるようにその太さに応じて変化している。例えば、１０分燃焼した時に次の目印に到達するようになっている。
【００１８】
前記目印は、隣り合う目印間のろうそく本体の色を異ならしめることにより実現してもよい。即ち、目印５０までを白色、目印５１までを赤色、目印５２までを青色、目印５３までを紫色、目印５４までを黄色、目印５５までを緑色、目印５６までを橙色、それ以降を白色などとしてもよい。
【００１９】
図２に示す占い表示手段４は、その周囲に占い結果が印されている実施形態であって、その周囲には例えばハートマーク（イ）と「幸福」という文字（ロ）が印されている。ろうそく本体２が目印５６より下方位置まで燃焼した時に占い表示手段４のハートマーク（イ）と「幸福」という文字（ロ）を視認でき、その周囲に印されたハートマーク（イ）と「幸福」という文字（ロ）により占いを行なう。
【００２０】
又、図３に示すように、占い表示手段４０は、半円形の入れ物４０ａ、４０ｂから構成され、その内部に占い結果を印した提示手段４１が備えられていてもよい。かかる占い表示手段４０は、例えば、不燃性の合成樹脂、あるいは金属の半円形の入れ物４０ａ、４０ｂであり、その中には、例えば紙などに占いの文言「天秤座の人、今日は水に注意」（ハ）などが印刷された提示手段４１が入っている。そして、表示手段４０は所定の方法、例えば接着などにより半円形の入れ物４０ａと４０ｂが接合されている。あるいは、占い表示手段４０の中に、前記占い結果を印した提示手段４１以外に、景品等をいれてもよい。あるいは又、水晶玉を入れる袋などが入っていてもよい。
【００２１】
又は、占い表示手段４０は、従来から占いによく使用されている水晶玉であってもよい。斯かる水晶玉には、例えば、連続する数字などがそれぞれの水晶玉に印されていて、かかる数字の水晶玉が全て揃った時に幸福が訪れる、というような占い結果として、占いの趣向を高めることもできる。又は、前記水晶玉には穴が貫通されていてもよく、かかる穴に紐を通してお守りとしたり、あるいはまた前記占い表示手段４０の中に入っている袋に収納して持ち歩いてもよい。
【００２２】
前記占い用ろうそくを用いた占いの方法の一例について説明する。例えば、１日に１回、燃焼目安を示す目印１つ分だけ燃焼し、その燃焼中に願い事を祈ったり、願い事がかなうように念力をかける。そして、毎日それを繰り返し、例えば７日目になると、ろうそく本体２が目印５６より下方位置まで燃焼した時に占い表示手段４の色などを視認しその結果により、占いを行なう。更にろうそく本体２を燃焼するとろうそく本体２は燃焼してなくなるので、手を汚すことなく前記表示手段４を容易に取り出せる。また、燃焼した灰を処分する必要もない。更に、表示手段４が、図３に示したように、そのなかに占い結果を印した提示手段４１や、景品が入っている場合、その内容を確認して楽しむ。又は、大仏、観音像、その他の神仏具が入っているろうそく本体２を仏壇あるいは神棚などに置き、毎日ろうそく本体２を燃焼して、灯明として用いてもよい。
【００２３】
【発明の効果】
請求項１記載の占い用ろうそくによれば、前記ろうそく本体より小さい形状の占い表示手段が内部に埋入されていることにより、燃焼後の灰を片付けて処分する必要もなく、また、燃焼時の香りは、蝋の燃焼による匂いが生じる程度で、使用環境に対する制限が緩和できる。
【００２４】
請求項２記載の占い用ろうそくによれば、前記ろうそくは、前記燃焼芯が占い表示手段が取り出せる位置まで設けられていることにより、燃焼後の灰などによって手を汚すことがない。
【００２５】
請求項３記載の占い用ろうそくによれば、前記占い表示手段は、ろうそくの低部から前記占い表示手段が視認できない位置に埋入されていることにより、ろうそく本体を燃焼しなでも占いの結果がわかるようなことがなくなり、占いの興趣が低減しない。
【００２６】
請求項４記載の占い用ろうそくによれば、前記ろうそくは、ろうそく本体に、燃焼目安を示す目印が所定数設けられていることにより、占いをする時間を気にしないで毎日一定時間占いの経過を楽しむことができる。また、前記占い表示手段は前記最後の目印より下方位置に埋入されていることにより、最後までろうそくが燃焼して初めて占いの結果を知ることができ、占いの興趣が持続する。
【００２７】
請求項５記載の占い用ろうそくによれば、前記ろうそくは、隣り合う目印間のろうそく本体の色が異なることにより、色による視覚的な楽しみ、または室内のアクセサリーなどとして用いることができる。
【００２８】
請求項６記載の占い用ろうそくによれば、前記占い表示手段は、その周囲に占い結果が印されていることにより、ろうそく本体の燃焼と共に占い結果がぼんやりと浮かびでて、占いの興趣を高められる。
【００２９】
請求項７記載の占い用ろうそくによれば、前記占い表示手段は、その内部に占い結果を印した提示手段が備えられていることにより、占いの結果の提示方法が広がる。
【００３０】
請求項８記載の占い用ろうそくによれば、前記占い表示手段は、水晶玉であることにより、従来からある水晶玉による神秘性を提示すると共に、水晶玉により高級感をもたらすことができる。
【００３１】
請求項９記載の占い用ろうそくによれば、前記占い表示手段は、大仏、観音像、その他の神仏具であることにより、占い以外に、仏壇、神棚などにおいて、使用してもよく、日常の心の安らぎを得ることができる。
【図面の簡単な説明】
【図１】本発明の実施形態におけるろうそくの正面図（ａ）と上面図（ｂ）である。
【図２】ろうそく本体に埋入される占い表示手段の１実施形態の正面図である。
【図３】ろうそく本体に埋入される占い表示手段の、他の実施形態がひろげられた時の図（図３（ａ））であって、その内部に占い結果を印した提示手段（図３（ｂ））が備えられている実施形態の図である。
【符号の説明】
１　占い用ろうそく
２　ろうそく本体
３　燃焼芯
４、４０　占い表示手段
５　目印
６　台
７　壁
４１　提示手段
【図１】
2004073363.tif 000003
【図２】
2004073363.tif 000004
【図３】
2004073363.tif 000005